(57)【要約】【課題】端子接着面は気密性を有し樹脂カバーが開放構造を有するという構成であると同時に、ユーザが端子接着面の気密性を容易に検査できる電磁継電器を提供する。【解決手段】電磁駆動部と、電気接点部と、電磁駆動部および電気接点部に接続される端子と、電磁駆動部および電気接点部を収容する内部空間を有する筐体とを具備し、筐体は、端子が挿通する底壁と、底壁に連結されて内部空間を形成する周壁とを備え、端子と底壁との間および底壁と周壁との間が封止されるとともに、内部空間に通じる通気孔が周壁に設けられ、周壁の外面に、通気孔を塞ぐ硬化した接着剤が固定されている、電磁継電器である。【選択図】図３
2020119851.tif 000002
【特許請求の範囲】
【請求項１】
電磁駆動部と、電気接点部と、前記電磁駆動部および前記電気接点部に接続される端子と、前記電磁駆動部および前記電気接点部を収容する内部空間を有する筐体とを具備し、
前記筐体は、前記端子が挿通する底壁と、該底壁に連結されて前記内部空間を形成する周壁とを備え、前記端子と前記底壁との間および前記底壁と前記周壁との間が封止されるとともに、前記内部空間に通じる通気孔が前記周壁に設けられ、
前記周壁の外面に、前記通気孔を塞ぐ硬化した接着剤が固定されている、
電磁継電器。
【請求項２】
前記周壁は、前記通気孔が設けられた第１壁と、該第１壁との間に角部を形成する第２壁とを有し、
前記接着剤は前記第１壁に固定されて前記第２壁から突出する、
請求項１に記載の電磁継電器。
【請求項３】
前記周壁は、前記外面の一部分である底面を有する凹部を備え、
前記通気孔は前記底面に配置され、
前記接着剤は前記底面に固定される、
請求項１又は２に記載の電磁継電器。
【請求項４】
前記周壁は、前記凹部に設けられる柱状の突出部を有し、
前記通気孔は前記突出部に形成されている、
請求項３に記載の電磁継電器。
【請求項５】
前記底面は、互いに段差を有する複数の平面部分を含み、前記接着剤は少なくとも１つの前記平面部分に固定される、請求項４に記載の電磁継電器。
【発明の詳細な説明】
【技術分野】
【０００１】
本発明は、電磁継電器に関する。
【背景技術】
【０００２】
電磁継電器の密封仕様に関してはウォッシャブルタイプとフラックスフリータイプがある。ウォッシャブルタイプは、周囲ガスの影響や実装工程時の影響を防ぐ完全密封型の電磁継電器である。ウォッシャブルタイプは、電磁継電器の樹脂カバーの天面に煙突状の通気孔部を設け、カバーとベースを接着後、通気孔部を熱かしめ（高温溶着）し、そこにＵＶ硬化樹脂を塗布して気密性を確保する構成が一般的である。他方、フラックスフリータイプは、電磁継電器内部への酸素供給がないと寿命性能を満足できないような場合に、電磁継電器の端子接着面側の気密性は確保し、樹脂カバーの一部を開放構造とする非密封型の電磁継電器である。フラックスフリータイプは、通気孔部などを熱かしめで密封処理したウォッシャブルタイプと同じ形状のカバーで代用するのが一般的である。
【０００３】
電磁継電器の密封構造に関しては様々なタイプの構造が提案されている。特許文献１は、カバーに空気抜き用の貫通孔と貫通孔を覆う磁性体金属の内圧調整蓋とを有する内圧調整機構を設けた電磁継電器を記載している。特許文献２は、カバーの通気孔を粘着シールによって封止する構成の電磁継電器について記載している。特許文献３は、ベースとカバーによりリレー本体が収容された構成の電磁継電器において、ベースに形成された封止孔およびその内方側に形成された斜面で経時硬化性粘質液状の封止剤が保持される構成が記載されている。特許文献４は、密閉型リレーの内外を貫通する小穴を有する小突起を塑性変形させて接着剤で接着して密封する構成の電磁継電器について記載している。
【先行技術文献】
【特許文献】
【０００４】
【特許文献１】特開２００８−４３７４号公報
【特許文献２】特開平６−１６２８９６号公報
【特許文献３】実公昭６３−１６１２２号公報
【特許文献４】実開昭５９−１３８１４９号公報
【発明の概要】
【発明が解決しようとする課題】
【０００５】
フラックスフリータイプの電磁継電器では、端子接着面の気密性が確保されることが要求される。そのため、フラックスフリータイプの電磁継電器においては、樹脂カバーの一部を開放構造とすると同時に、ユーザが端子接着面の気密性を容易に検査できることが望まれている。
【課題を解決するための手段】
【０００６】
本開示の一実施形態は、電磁駆動部と、電気接点部と、前記電磁駆動部および前記電気接点部に接続される端子と、前記電磁駆動部および前記電気接点部を収容する内部空間を有する筐体とを具備し、前記筐体は、前記端子が挿通する底壁と、該底壁に連結されて前記内部空間を形成する周壁とを備え、前記端子と前記底壁との間および前記底壁と前記周壁との間が封止されるとともに、前記内部空間に通じる通気孔が前記周壁に設けられ、前記周壁の外面に、前記通気孔を塞ぐ硬化した接着剤が固定されている、電磁継電器である。
【発明の効果】
【０００７】
上記構成によれば、電磁継電器を簡易な作業により密封型として提供できると同時に、ユーザが所望のタイミングで且つ容易に電気継電器を密封型から開放型に変更することができる。
【図面の簡単な説明】
【０００８】
【図１Ａ】一実施形態に係る電磁継電器の側面図である。
【図１Ｂ】電磁継電器を斜め上方からみた斜視図である。
【図１Ｃ】電磁継電器を斜め下方側から見た斜視図である。
【図２】電磁継電器の内部のリレー本体の構成例を表す斜視図である。
【図３】カバーの通気孔近辺の縦断面図であり、接着剤および通気孔部の構造の第１の実施例を表している。
【図４Ａ】接着剤および通気孔部の構造の第２の実施例を示す縦断面図である。
【図４Ｂ】第２の実施例の通気孔部の斜視図である。
【図５Ａ】接着剤および通気孔部の構造の第３の実施例を示す縦断面図である。
【図５Ｂ】第３の実施例の通気孔部の斜視図である。
【図６Ａ】接着剤および通気孔部の構造の第４の実施例を示す縦断面図である。
【図６Ｂ】第４の実施例の通気孔部の斜視図である。
【図７】接着剤および通気孔部の構造の第５の実施例を示す縦断面図である。
【図８Ａ】接着剤および通気孔部の構造の第６の実施例を示す縦断面図である。
【図８Ｂ】第６の実施例の通気孔部の斜視図である。
【図９Ａ】接着剤および通気孔部の構造の第７の実施例を示す断面図である。
【図９Ｂ】第７の実施例の通気孔部の斜視図である。
【発明を実施するための形態】
【０００９】
本開示の実施形態について図面を参照して説明する。参照する図面において、同様の構成部分または機能部分には同様の参照符号が付けられている。理解を容易にするために、これらの図面は縮尺を適宜変更している。また、図面に示される形態は本発明を実施するための一つの例であり、本発明は図示された形態に限定されるものではない。
【００１０】
図１Ａ−１Ｃは、一実施形態に係る電磁継電器５０の外観を表している。以下で詳細に説明するように、電磁継電器５０は、カバー１１が通気孔９０を有することでフラックスフリータイプとして提供することができるとともに、ユーザが端子穴を有する底面１１ｂの気密性を容易に確認できるように構成される。図１Ａは電磁継電器５０の側面図、図１Ｂは電磁継電器５０を斜め上方からみた斜視図、図１Ｃは電磁継電器５０を斜め下方側から見た斜視図である。図１Ａ、１Ｂに示されるように、電磁継電器５０は、ボックス型の樹脂成型品であるカバー１１内にリレー本体が収容された構成を有する。カバー１１の開口した下端部と樹脂成型品のベース９との隙間はシール用樹脂１６で封止され、また、ベース９に形成された端子穴と各端子１８との隙間もシール用樹脂１６で封止されている。これにより電磁継電器５０の底面１１ｂ側の気密性が確保されている。ベース９とカバー１１により電磁継電器５０の筐体２０が構成されている。ベース９が筐体２０の底壁を構成し、カバー１１が筐体２０の周壁を構成している。
【００１１】
カバー１１の上側壁部１１１には筐体２０の内部空間に貫通する通気孔９０が設けられており、カバー１１の上面には通気孔９０を塞ぐ硬化した接着剤９５が固定されている。なお、説明の便宜のため、図１Ａ−１Ｃにおいて接着剤９５は図１Ｂの右側のみに示し他の図では省略している。接着剤９５および通気孔部の構造の詳細については後述する。通気孔９０を接着剤９５で封止することで、電磁継電器５０を密封構造にすることができる。なお、接着剤９５は簡単な作業で取り外すことが可能である。この構成により、ユーザは簡単な作業で接着剤９５を取り外し電磁継電器５０を開放構造にすることができる。
【００１２】
図２は電磁継電器５０内部に収容されるリレー本体の構成例を表す斜視図である。図２では内部構成を示すためにカバー１１を透明に示し、接着剤９５は省略している。図２では一例として電磁継電器５０はヒンジタイプとしているが、他のタイプの電磁継電器であっても良い。説明の便宜のため、図２に示す通り、ベース９の長手方向に沿った方向を前後方向と定義し、前後方向を基準として左右方向および上下方向を定義する。
【００１３】
図２に示されるように、電磁継電器５０は、コイル４、鉄心（不図示）、継鉄１２、接極子３、ヒンジばね１０およびカード６を含む電磁駆動部３０と、それぞれ導電性の板部材で形成される弾性部材である可動接点電極７および固定接点電極８を含む電気接点部４０とを具備する。可動接点電極７は、その下端部がベース９に固定され、自由端部に可動接点１を有する。固定接点電極８は、その下端部がベース９に固定され、自由端部に固定接点２を有する。カバー１１の後方壁内面に設けられた電極を支持する突起１５は、固定接点２に当接することで固定接点２を後方側から支持する。コイル４に通電されず電気接点部４０が開いている状態では、ヒンジばね１０の復元力により、接極子３は接点開位置に保持されている。その状態からコイル４に通電されると、接極子３は鉄心に吸引され揺動する。それに伴い、カード６は後方側に押されて移動し、可動接点電極７を固定接点電極８側に押し込む。それにより、可動接点１が固定接点２と接触し、電気接点部４０は閉じた状態（接点閉）となる。底面１１ｂからは、コイル４、可動接点電極７、固定接点電極８等の電気部品を外部と接続するための端子１８が引き出されている。
【００１４】
図３は、カバー１１の通気孔９０近辺を前後方向に垂直な面で切断した縦断面図であり、接着剤９５および通気孔部の第１の実施例を表している。図３の例では、通気孔９０はカバー１１の側面１１ａ寄りの位置においてカバー１１の上側壁部１１１を貫通する貫通孔として形成され、通気孔９０を覆うように接着剤９５が塗布されている。
【００１５】
接着剤９５の好ましい一例は、熱軟化性接着剤である。熱軟化性接着剤は、熱をかけて溶かして塗布し、冷えて固まる接着剤であり、流動性が低く且つ硬化が早いという性質を有している。したがって、接着剤塗布用の簡易な工具或いは自動化された塗布装置を用いて図３に示すドーム状に盛り上がった形状に接着剤９５を塗布することができる。なお、図３の例では、接着剤９５は通気孔９０を塞ぎかつ端部９５ａが側面１１ａよりも若干外方にはみ出すように塗布されている。これにより、ユーザは、硬化した接着剤９５の端部９５ａに指等を引っ掛けて下方側から押し上げて簡単に接着剤９５を取り外すことができる（図３右側参照）。熱軟化性接着剤の流動性が低いという性質により、通気孔９０を覆うように接着剤９５を塗布しても接着剤９５が通気孔９０の内部には入り込まないため、硬化後の接着剤９５を図３のように塗布時の状態のまま完全に取り外すことができる。
【００１６】
接着剤９５としては、速硬性を有し、且つ、適宜の粘性を有する接着剤を用いることもできる。例えば、速硬化型の弾性接着剤を用いることができる。弾性接着剤は、硬化した状態でゴム状の弾性体となる接着剤である。このような接着剤の場合にも、粘性、接着力等を適宜選定することにより、図３のようにドーム状の形状を有し且つ通気孔９０の内部に入り込まないように接着剤を塗布することが可能となると共に、図３に示すようにユーザが指等で容易に接着剤を取り外すことが可能となる。
【００１７】
本実施形態にかかる電磁継電器５０は、図３左側に示すように通気孔９０を接着剤９５で封止した状態でユーザに提供することで、ユーザは極めて簡便に電磁継電器５０の底面１１ｂの気密性を確認することができる。ユーザは、通気孔９０が接着剤９５で密封された電磁継電器５０を温水に浸けるといった簡便な作業を行うのみで底面１１ｂの気密性を確認でき、通気孔９０が封止されているため電磁継電器５０への温水の浸入が防止できる。気密性の確認後、ユーザは、接着剤９５を取り外し、電磁継電器５０を開放構造とすることができる。その後、電磁継電器５０はユーザの装置に実装する工程に付される。このように本実施形態に係る電磁継電器５０は、ユーザが所望するタイミングで一回に限り密封構造から開放構造に変更することができる構成となっている。なお、以上で説明した本実施形態による効果は以下で述べる実施例においても同様に得られる。
【００１８】
図４Ａは、接着剤９５および通気孔部の第２の実施例を示す縦断面図である。図４Ｂに本例の通気孔部の構造を斜視図で示す。なお、説明の便宜のため図４Ｂの斜視図では接着剤９５を省略している（以下の実施例における斜視図も同様）。本例では、カバー１１上面の一側面１１ａ側の端部に下方に向かってへこむ凹部９１が形成されており、通気孔９０は凹部９１の底面からカバー１１内部に貫通する貫通孔として形成されている。この構成の場合には、接着剤９５は凹部９１を満たし且つ凹部９１の外側に膨出するように塗布される。よって、本例の場合にも、接着剤９５は通気孔９０を塞ぎかつ端部９５ａが側面１１ａよりも若干外方に突出する（図４Ａ中央部参照）。これにより、ユーザは、硬化した接着剤９５の端部９５ａを下方側から押し上げて簡単に取り外すことができる（図４Ａの右側参照）。また、この構成では、凹部９１は接着剤９５を受ける受け部となるため、ユーザは、接着剤９５を凹部９１に落とし込むように塗布することができる。よって、接着剤９５の塗布作業の作業性を更に向上させることができる。
【００１９】
図５Ａは、接着剤９５および通気孔部の第３の実施例を示す縦断面図である。図５Ｂに本例の通気孔部の構造を斜視図で示す。本例は、接着剤９５とカバー１１との接触面積を増やし接着剤９５のカバー１１に対する接着強度を増す目的で、通気孔部を煙突状の形状にした例である。本例では、カバー１１上面の側面１１ａ側の端部に下方に向かってへこむ凹部９２が形成されており、凹部９２の底面の中央部分には煙突形状の通気孔部を形成する先細り柱状の突出部９３が形成されている。通気孔９０は突出部９３の中心軸線に沿って形成されている。突出部９３の凹部９２の底面からの高さは、凹部９２の底面からカバー１１上面までの高さ以下となっている。なお、図５Ａに示した構造は、凹部９２の底面に互いに段差を有する複数の平面部分を設けた構成と言うこともできる。
【００２０】
この構成の場合には、接着剤９５は凹部９２を満たし且つ凹部９２の外側に膨出するように塗布される（図５Ａの右側参照）。これにより、ユーザは、硬化した接着剤９５の端部９５ａを下方側から押し上げて簡単に取り外すことができる。また、この構成の場合にも、凹部９２は接着剤９５を受ける受け部となるため、ユーザは、接着剤９５を凹部９２に落とし込むように塗布することができる。また、図５Ａの例では、凹部９２の底面に突出部９３が形成されているため、接着剤９５とカバー１１との接触面を増加させることができ、それにより接着剤９５とカバー１１との接着強度を増加させることができる。
【００２１】
図６Ａは、接着剤９５および通気孔部の第４の実施例を示す縦断面図である。図６Ｂに本例の通気孔部の構造を斜視図で示す。本例は、図５Ａで示した通気孔部の凹部９２の底面に段差９４を更に加えた構成例である。本例では、段差９４により突出部９３の突出方向における凹部９２の底面高さが異なる複数の平面部分に分割されている。図６Ａの構成例は段差９４を有するため、接着剤９５とカバー１１との接触面積を図５Ａの場合よりもさらに増加させることができ、それにより接着剤９５とカバー１１との接着強度を更に強めることができる。
【００２２】
図５Ａ、図６Ａを参照して上述したように、接着剤９５とカバー１１との接触面積をコントロールすることで、接着剤９５とカバー１１との接着強度をコントロールすることができる。
【００２３】
図５Ａや図６Ａの構成例では、通気孔部は通気孔９０が上方に向かって若干広がる形状に形成されている。このような構造は、煙突状の通気孔部を熱かしめにより密封する構造にも併用することができるというメリットがある。
【００２４】
図７は、接着剤９５および通気孔部の第５の実施例を示す縦断面図である。図７の構成例は、図４Ａに示した通気孔９０の形状をカバー１１内方に向かって末広がりとなるように形成した構成例である。この構成では、通気孔９０上方側の開口サイズを小さくすることができるため、接着剤９５が通気孔９０ａ内部に入り込んでしまうことをより確実に防止できる。なお、本実施例の通気孔９０の形状は他の実施例に適用しても良い。
【００２５】
図８Ａ、９Ａに示す構成例は、接着剤９５を塗布するスペースを省スペース化できる。図８Ａは、接着剤９５および通気孔部の第６の実施例を示す縦断面図である。図８Ｂに本例の通気孔部の構造を斜視図で示す。図８Ａの構成例は、図５Ａに示した突出部９３の先端面に、下方に受かってへこむ凹部９６を形成した構成に対応する。この構成では、接着剤９５を凹部９６に落とし込むように塗布することができ、凹部９６は接着剤９５を受ける受け部として機能する。この構成の場合には、図８Ａに示すように接着剤９５を突出部９３の先端部を覆って上方に盛り上がるように塗布する。このように突出部９３の先端部に凹部９６を設けることで、接着剤９５とカバー１１との接着面積を確保し必要な接着強度を確保することができる。図８Ａのように接着剤９５を突出部９３の上側に盛り上がるように塗布することで、硬化後に接着剤９５を手作業で容易に取り外すことができる。
【００２６】
このように、突出部９３の先端部に凹部９６を形成したり、或いは更に凹部９６内に段差を形成する等により、接着剤９５を塗布するスペースを省スペースとしながらも接着剤９５とカバー１１との接着強度をコントロールすることが可能となる。
【００２７】
図９Ａは、接着剤９５および通気孔部の第７の実施例を示す断面図である。図９Ｂに本例の通気孔部の構造を斜視図で示す。図９Ａの構成例では、図８Ａの構成例における突出部９３の側面１１ａ側の傾斜面を傾斜面に沿って下方に延長した形状の傾斜面９７が形成されている。このように突出部９３を形成する傾斜面のうち側面１１ａ側の傾斜面を下方に延長した構成とすることにより、接着剤９５を取り外す際に作業者が指等を引っ掛ける際に利用するスペース９８をいっそう大きく確保することができる。それにより、接着剤９５を取り外す作業の作業性を向上させることができる。
【００２８】
以上説明したように本実施形態に係る電磁継電器５０では、カバー１１に形成された通気孔部に接着剤９５を塗布することで瞬間的に密封性を確保できる。したがって、煙突状の通気孔部を熱かしめし接着剤で封止する封止構造と比較し製造工程を効率化できる。また、本実施形態に係る封止構造は流動性が低く且つ硬化が早いという接着剤の性質を利用できるので、密封性を得るために複雑な通気孔の形状を必要とせず、図３に例示したような平面に孔を形成したような単純な通気孔構造に対しても適用することができる。
【００２９】
接着剤９５として熱軟化性接着剤を用いる場合には、溶融温度は、樹脂成型品であるカバー１１に影響を与えない温度以下とする条件で選定することが好ましい。一例として、溶融温度８０度以下の熱軟化性接着剤を選定することが考えられる。また、熱軟化性接着剤は、一般に溶融温度が高温になるほど接着力が高まるという傾向を持つ。本実施形態で使用する熱軟化性接着剤はユーザが取り外すことを想定しているので、接着力はあまり高くなく剥離性があるものを選定することが好ましい。一例として、溶融温度が８０度以下程度の比較的低温のタイプで接着力があまり高くないものを選定しても良い。
【００３０】
他方、接着剤９５の取り外しやすさは、上述の実施例において示したとおり接着面積の調整によりコントロールできる。したがって、接着剤９５の取り外しやすさに関しては、接着剤の接着力と接着面積との二つの側面から最適な種類の接着剤を選定することができる。一例として、接着面積が比較的小さい場合には、接着力が比較的大きい接着剤を選定することができる。また、使用する接着剤の接着力に関しては、筐体２０の材質との関係も考慮し適宜の接着力が得られる接着剤を選定しても良い。
【００３１】
本実施形態によれば、電磁継電器は通気孔部が接着剤９５で封止された状態でユーザに提供されるので、ユーザは電磁継電器を温水に浸けるといった簡便な作業のみで電磁継電器の気密性を確認することができる。さらに、本実施形態によれば、ユーザは所望のタイミングで簡単な作業で接着剤９５を取外し、電磁継電器を開放構造にすることができる。よって、製品への実装工程では開放構造品として電磁継電器を用いることができる。
【００３２】
なお、上述の実施形態はユーザが接着剤９５を取り外して使用することを前提としているが、電磁継電器が例えば使用温度や加水分解の観点で接着剤９５の接着性能が劣化しない環境下で使用されるような場合には、接着剤９５を取り外さずに電磁継電器を密封構造品として使用しても良い。この場合、接着剤の塗布という簡潔な手法で確実に密封構造を提供することが可能となる。電磁継電器が密封構造で使用される場合には、接着剤９５とカバー１１間の接着強度が強くなるように接着剤の接着力や接着面積を選定しても良い。
【００３３】
以上述べた通り本実施形態によれば、電磁継電器を簡易な作業により密封型として提供できると同時に、ユーザ側で所望のタイミングで且つ容易に電気継電器を密封型から開放型に変更することができる。
【００３４】
以上、典型的な実施形態を用いて本発明を説明したが、当業者であれば、本発明の範囲から逸脱することなしに、上述の各実施形態に変更及び種々の他の変更、省略、追加を行うことができるのを理解できるであろう。
【００３５】
上述の実施形態で示したカバー、ベース、端子等の形状は一例であり、本発明は、通気孔が形成された樹脂筐体を有する様々な形状の電磁継電器に適用することができる。
【００３６】
上述の実施例で示した通気孔部の構造は例示であり、接着剤９５の取り外しやすさ、接着剤の塗布面積等の観点で様々な変形例を構成することができる。
【符号の説明】
【００３７】
９    ベース
１１    カバー
１１ａ    側面
１１ｂ    底面
１８    端子
２０    筐体
５０    電磁継電器
９０    通気孔
９１、９２、９６    凹部
９３    突出部
９４    段差
９５    接着剤
９７    傾斜面
１１１    上側壁部
【図１Ａ】
2020119851.tif 000003
【図１Ｂ】
2020119851.tif 000004
【図１Ｃ】
2020119851.tif 000005
【図２】
2020119851.tif 000006
【図３】
2020119851.tif 000007
【図４Ａ】
2020119851.tif 000008
【図４Ｂ】
2020119851.tif 000009
【図５Ａ】
2020119851.tif 000010
【図５Ｂ】
2020119851.tif 000011
【図６Ａ】
2020119851.tif 000012
【図６Ｂ】
2020119851.tif 000013
【図７】
2020119851.tif 000014
【図８Ａ】
2020119851.tif 000015
【図８Ｂ】
2020119851.tif 000016
【図９Ａ】
2020119851.tif 000017
【図９Ｂ】
2020119851.tif 000018